(57)【要約】      （修正有）【課題】帯状把手を蓄電池に嵌着係止したまま鉛蓄電池を固定用金具で固定する方式において、いかなる方式の固定用金具にも適用可能な帯状把手を備えた蓄電池を提供する。【解決手段】両端が硬質部、その間が軟質部で構成された帯状把手の両硬質部を蓄電池に設けた把手嵌着係止部に嵌着係止した蓄電池において、前記両硬質部７と軟質部８との境界部分が蓄電池１の上面以下に位置することを特徴とする。【選択図】      図８
2005005156.tif 000002
【特許請求の範囲】
【請求項１】
両端が硬質部、その間が軟質部で構成された帯状把手の両硬質部を蓄電池に設けた把手嵌着係止部に嵌着係止した蓄電池において、
前記両硬質部と軟質部との境界部分が蓄電池上面以下に位置することを特徴とする蓄電池。
【発明の詳細な説明】
【０００１】
【発明の属する技術分野】
本発明は、帯状把手を備えた蓄電池に関する。
【０００２】
【従来の技術】
蓄電池には種々の種類のものがあるが、使用される発電要素の材料によっては重量の重いものがある。例えば、発電要素に鉛が用いられている鉛蓄電池では、鉛の比重が１１．３４と大きく、重量の重い代表的な蓄電池である。しかし、鉛は他の蓄電池に使用されている材料費に比べて安価であるため、材料費のかさむ容量の大きい、例えば、自動車用の蓄電池では鉛蓄電池が主流である。例えば、ＪＩＳ  Ｄ  ５３０１に規定される自動車用鉛蓄電池５５Ｄ２３型は、約１５．５Ｋｇの重量を有し、該蓄電池の側面あるいは底部に手を添えて運ぶのは容易でない。特に、近年では、電気製品を電源のない屋外で使用する要望が強くなっており、前記自動車用鉛蓄電池を自動車から取り外して簡便に搬送できる蓄電池の出現が期待されるようになった。そこで、搬送を容易にするために鉛蓄電池に把手を取り付ける方法が考案されている。その場合、搬送容易のために前記把手は、自動車に装着した際も取り付けたままにするのが好ましく、蓄電池を固定する固定用金具の障害にならないような工夫が必要で、その対策を施した蓄電池用把手が、例えば、公開実用新案  実開平６−２５５５で提案されている。
【０００３】
図１および図２はその一例を示すもので、図１は帯状把手の両端を鉛蓄電池の蓋側面に設けた把手嵌着係止部に嵌着係止させた状態を示す要部斜視図、図２はその帯状把手本体（以降、帯状を省略）を示す平面図である。図１および図２において、１は鉛蓄電池、２は鉛蓄電池電槽、３はその蓋、４は前記蓋短側面に設けた把手嵌着係止部、４１は前記把手嵌着係止部の狭部、５は液口栓、６ａは把手本体、７は前記把手の硬質部、８は軟質部、９は前記硬質部に設けた切欠部、１０は前記硬質部７と一体に形成した係止部であり、前記蓋側面に設けた把手嵌着係止部４に挿入して把手を蓄電池に嵌着係止するためのものである、１４は端子をそれぞれ示す。
【０００４】
図１に示すように、把手の硬質部７に設けた切欠部９を蓋３の短側面に設けた把手嵌着係止部４の狭部４１に嵌合させて把手嵌着係止部４に挿入し、上方向に引っ張り上げると係止部１０が前記把手嵌着係止部４に嵌着係止される。このような状態で把手を持ち上げれば鉛蓄電池の搬送が容易になる。
【０００５】
そして、図３は、上記把手を嵌着係止したままの鉛蓄電池を自動車に設置・固定した状態を示す要部正面図で、１１ａはバー形状の固定用金具、１２は固定用ボルト、１３はそのナットをそれぞれ示す。他の構成部材は図１と同じ番号を付記する。
【０００６】
図３に示すように、軟質部８の上からバー形状の固定用金具１１ａを蓋３の表面に密着させてボルト１２とナット１３で前記金具１１ａを締め付けて固定することができる。なお、このような従来例では、硬質部７と軟質部８との境界部分は蓄電池上面よりも上に位置している。
【０００７】
【発明が解決しようとする課題】
ところが、上記構造の把手を備えた蓄電池は、固定用金具の形態よっては、把手が障害になり前記固定用金具が適用できない問題を抱えている。
【０００８】
図４は、図３と異なる蓄電池固定方法の一例を示す要部正面図で、１は鉛蓄電池、１１ｂは筋交い状の固定用金具、１２は固定用ボルト、１３はそのナット、１４は端子をそれぞれ示す。図４に示すように、トラック等に用いられる鉛蓄電池では、１２Ｖの蓄電池を２個直列に接続し２４Ｖで使用され（図４では１個の鉛蓄電池のみを図示）、通常、固定に際して両蓄電池の短側部分に筋交い状の固定用金具１１ｂが設置される。その場合、図３に示すように、その部分に蓋３の上面より上に突出している把手の硬質部７が存在すると、それが障害となり固定用金具１１ｂが装着できない。
【０００９】
また、図５および図６は、他の固定用金具の設置・固定例を示す要部平面図ならびに要部正面図で、１１ｃはカバー式の固定用金具、１４は鉛蓄電池の端子、１５は端子用開口部それぞれを示す。他の構成部材は図３と同じ番号を付記する。
【００１０】
図５および６に示すように、１個の鉛蓄電池の場合でも固定用金具１１ｃがカバー方式で、蓄電池の蓋全面を覆う形状のものでは、図４の場合と同様、蓋３の上面に突出している把手の硬質部７が存在すれば、それが障害になり固定用金具１１ｃは設置・固定できない。
【００１１】
したがって、本発明が解決しようとする課題は、いかなる方式の固定用金具をも適用可能な把手を備えた蓄電池を提供することにある。
【００１２】
【課題を解決するための手段】
課題を解決するための手段として、請求項１によれば、両端が硬質部、その間が軟質部で構成された帯状把手の両硬質部を蓄電池に設けた把手嵌着係止部に嵌着係止した蓄電池において、前記両硬質部と軟質部との境界部分が蓄電池上面以下に位置することを特徴するものである。
【００１３】
従来の技術の項で説明したように、従来の把手であれば、硬質部の一部が蓄電池の上面より突出しているので、筋交い形状のような蓄電池の短側部分に固定用金具を設置する方式や、蓋全面を覆うカバー方式の固定用金具は適用できなかったが、本発明のように、両硬質部と軟質部との境界部分が蓄電池の上面以下に位置する構造であれば、いかなる方式の固定用金具をも適用可能である。
【００１４】
ここでの把手の軟質部とは、繊維布等からなり形状の変形が容易で、固定用金具で押さえ込まれてもそれに対応して形状変化できる物質で構成されているものをいい、硬質部とは、硬質樹脂や金属等からなり形状の変形が容易でない物質で構成されているものをいう。
【００１５】
また、係止部とは、蓋の短側面に設けた把手嵌着係止部に嵌着係止される部分をいい、形状としては前記嵌着係止部に嵌合可能な円柱あるいは角柱形状が適用され、材質は、安定した嵌着係止を得るために前記硬質部と同じ材質が使用されることが多い。
【００１６】
【実施例】
本発明を実施例にもとづき詳細に説明する。
【００１７】
図７は、本発明の実施例１を示す把手本体の要部平面図、図８は前記把手を鉛蓄電池の蓋の短側面に設けた把手嵌着係止部に嵌着係止した状態を示す要部斜視図で、６ｂは本発明の把手本体、７は把手６ｂの硬質部、８は軟質部、１０は把手６ｂを蓋の短側面に設けた把手嵌着係止部４に嵌着係止するための係止部をそれぞれ示す。他の構成部材は図１と同じ番号を付記する。
【００１８】
上記実施例１では、硬質部７は、ポリプロピレン（ＰＰ）樹脂で構成され、係止部１０と一体に形成され、前記係止部１０は円柱形状を有している。また、軟質部８は、耐酸性を有する合成繊維布で構成されている。
【００１９】
図７および図８に示すように、本発明の把手本体６ｂは、係止部１０を把手嵌着係止部４に嵌着係止した際に、硬質部７と軟質部８との境界部分が蓄電池の上面より下に位置する構造であるので、蓋３の上面には変形容易な軟質部８のみが存在し、図５あるいは図６に示した固定用金具方式でも把手を装着したままで問題なく設置・固定が可能である。
【００２０】
硬質部と軟質部との接合は、軟質部の合成繊維布とＰＰ樹脂からなる硬質部を熱溶着により接合される。
【００２１】
本発明の把手６ｂを把手嵌着係止部４に嵌着するには、まず、軟質部８を幅方向に折り曲げ、把手嵌着係止部４の狭部４１に装着し、上方向に引っ張れば係止部１０が把手嵌着係止部４に嵌着係止される。
【００２２】
図９は、実施例１の把手６ｂを装着したままの鉛蓄電池をカバー形状の固定用金具１１ｃで設置・固定した状態を示す模式図で、８は把手の軟質部を示す。他の構成部材は図５と同じ番号を付記する。
【００２３】
図９に示すように、蓋上面には軟質部８のみが存在するので前記固定用金具１１ｃで蓄電池全面を押さえつけても、前記軟質部８がそれに対応して形状が変形するので把手がない場合と同様、蓄電池を固定することができる。
【００２４】
図１０は、本発明の実施例２の把手本体６ｃを示す要部平面図で、他の構成部材は図７と同じ番号を付記する。
【００２５】
図１０では、把手の硬質部は係止部１０のみで、該部分が軟質部８に直接接合された構造である。この場合も実施例１と同じ効果が得られることは容易に理解できる。
【００２６】
係止部１０と軟質部８との接合は、例えば、耐酸性を有する合成繊維布の先端部分を係止部１０に巻きつけた後、前記布の先端と該先端と接触している布の部分とを縫製する方法や、該部分を熱溶着あるいは接着剤により接合する方法等が上げられる。また、前記合成繊維からなる軟質部の先端とＰＰ樹脂からなる係止部１０とを熱溶着で接合してもよい。
【００２７】
なお、実施例では鉛蓄電池について説明してきたが、把手を蓄電池に嵌着係止した場合に、本発明の特徴である把手の硬質部と軟質部との境界部分が蓄電池上面より下に位置する構造の効果は、鉛蓄電池のみに限定されるものでなく、このような方式を採用した全ての電池、蓄電池に適用可能であることはいうまでもない。
【００２８】
【発明の効果】
以上、詳細に説明したように、帯状把手を嵌着係止したまま、固定用金具で蓄電池を設置・固定する場合に、従来の把手では、固定用金具の固定方式によっては、適用不可能な場合が発生したが、本発明の両端が硬質部、その間が軟質部で構成される帯状把手において、前記把手を蓄電池に設けた把手嵌着係止部に嵌着係止した際に、前記両硬質部と軟質部との境界部分が蓄電池上面以下に位置する構造にすることによって、帯状把手を嵌着係止したままの蓄電池にあらゆる固定用金具が適用可能でその工業的効果が極めて大である。
【図面の簡単な説明】
【図１】従来の帯状把手を鉛蓄電池に嵌着係止した状態を示す要部斜視図。
【図２】従来の帯状把手を示す要部平面図。
【図３】従来の帯状把手を嵌着係止したままの鉛蓄電池をバー形状の固定用金具で設置・固定した状態を示す要部正面図。
【図４】筋交い状の固定用金具で鉛蓄電池を設置・固定した状態を示す要部正面図。
【図５】カバー方式の固定用金具で鉛蓄電池を設置・固定した状態を示す要部平面図。
【図６】カバー方式の固定用金具で鉛蓄電池を固定した状態を示す要部正面図。
【図７】本発明の実施例１の帯状把手を示す要部平面図。
【図８】本発明の実施例１の帯状把手を鉛蓄電池に嵌着係止した状態を示す要部斜視図。
【図９】本発明の実施例１の帯状把手を嵌着係止したままの鉛蓄電池をカバー形状の固定用金具で設置・固定した状態を示す要部模式図。
【図１０】本発明の実施例２の帯状把手を示す要部平面図。
【符号の説明】
１  鉛蓄電池
２  鉛蓄電池の電槽
３  鉛蓄電池の蓋
４  把手嵌着係止部
４１  把手嵌着係止部の狭部
６ａ  従来の帯状把手本体
６ｂ  本発明の実施例１の帯状把手本体
６ｃ  本発明の実施例２の帯状把手本体
７  把手の硬質部
８  把手の軟質部
９  硬質部に設けた切欠部
１０  硬質部と一体に形成された係止部
１１ａ  バー形状の固定用金具
１１ｂ  筋交い状の固定用金具
１１ｃ  カバー形状の固定用金具
【図１】
2005005156.tif 000003
【図２】
2005005156.tif 000004
【図３】
2005005156.tif 000005
【図４】
2005005156.tif 000006
【図５】
2005005156.tif 000007
【図６】
2005005156.tif 000008
【図７】
2005005156.tif 000009
【図８】
2005005156.tif 000010
【図９】
2005005156.tif 000011
【図１０】
2005005156.tif 000012